(57)【要約】【課題】既知の装置とは異なる、建物のドア又はゲートの遠隔開扉装置を提供する。【解決手段】少なくとも一の建物（Ａ、Ａ１．．．Ａｎ）のドアまたはゲートの遠隔開扉装置を開示する。本装置は、建物（Ａ、Ａ１、．．．Ａｎ）に位置し、ＧＳＭモジュールを備える複数の外部端末（Ｃ１．．．Ｃｎ）からアクセス可能なユニット（Ｂ、Ｂ１．．．Ｂｎ）を備えている。ユニット（Ｂ、Ｂ１．．．Ｂｎ）は、ドアまたはゲートの開閉に好適な電気機械式手段（５０）に接続され、複数の外部端末（Ｃ１．．．Ｃｎ）の電話番号一覧を含むデータベース（２）と、外部端末（Ｃ１．．．Ｃｎ）に接続するためのＧＳＭインタフェース（３）と、インタフェース（３）およびデータベース（２）を管理するための手段（４）とを備えている。管理手段（４）は、外部端末（Ｃ１．．．Ｃｎ）からの問い合わせが可能であり、問い合わせを行っている外部端末の電話番号がデータベースの外部端末（Ｃ１．．．Ｃｎ）の電話番号一覧に記載されている場合、ゲートまたはドアを開扉するように電気機械式手段（５０）に命じるよう適応されている。【選択図】図１
2011508114.tif 000002
【特許請求の範囲】
【請求項１】
少なくとも一の建物（Ａ、Ａ１．．．Ａｎ）のドアまたはゲートの遠隔開扉装置であって、前記建物（Ａ、Ａ１、．．．Ａｎ）内に位置し、ＧＳＭモジュールを備える複数の外部端末（Ｃ１．．．Ｃｎ）からアクセス可能なユニット（Ｂ、Ｂ１．．．Ｂｎ）を備え、前記ユニット（Ｂ、Ｂ１．．．Ｂｎ）は、前記ドアまたはゲートの開閉に好適な電気機械式手段（５０）に接続され、前記ユニット（Ｂ、Ｂ１．．．Ｂｎ）は、前記複数の外部端末（Ｃ１．．．Ｃｎ）の電話番号一覧を含むデータベース（２）と、前記外部端末（Ｃ１．．．Ｃｎ）に接続するためのＧＳＭインタフェース（３）と、前記インタフェース（３）および前記データベース（２）を管理するための手段（４）とを備え、前記管理手段（４）は、前記外部端末（Ｃ１．．．Ｃｎ）からの問い合わせが可能であり、前記問い合わせを行っている外部端末の電話番号が前記データベースの外部端末（Ｃ１．．．Ｃｎ）の電話番号一覧に記載されている場合、ゲートまたはドアを開扉するように前記電気機械式手段（５０）に命じるよう適応されていることを特徴とする装置。
【請求項２】
前記管理手段（４）は、データを処理するためのデータ処理手段と、前記処理手段を管理するアプリケーションソフトウェアとを備え、前記アプリケーションソフトウェアは、電話呼び出しに応答することなく呼び出しを行っている外部端末（Ｃ１．．．Ｃｎ）の電話番号を前記インタフェース（３）を介して受信し、前記呼び出しを行っている外部端末の電話番号が前記データベース（２）に記憶されている前記電話番号一覧に記載されているかを確認し、その後の処理において、前記確認動作から肯定的な結果が得られた場合、前記電気機械式手段（５０）にゲートまたはドアの開扉命令を送信する、各機能を備えることを特徴とする、請求項１に記載の装置。
【請求項３】
前記外部端末（Ｃ１．．．Ｃｎ）は携帯電話端末であることを特徴とする、請求項１に記載の装置。
【請求項４】
前記装置は、中央ユニット（１）と、複数の建物（Ａ１．．．Ａｎ）内にそれぞれに位置する複数の前記ユニット（Ｂ１．．．Ｂｎ）とを備え、前記中央ユニット（１）は、前記建物（Ａ１．．．Ａｎ）内に位置する前記ユニット（Ｂ１．．．Ｂｎ）の一覧および前記建物（Ａ１．．．Ａｎ）内に位置する前記ユニット（Ｂ１．．．Ｂｎ）に対応付けられ且つ前記ユニットを起動するのに適したパスワードの一覧を含むデータベース（２０）を備えたメモリと、前記建物（Ａ１．．．Ａｎ）に位置する前記ユニット（Ｂ１．．．Ｂｎ）への遠隔接続のためのインタフェース（３１）と、前記外部端末（Ｃ１．．．Ｃｎ）に接続するためのＧＳＭインタフェース（３０）と、前記インタフェース（３０、３１）および前記データベース（２０）を管理するための手段（４０）とを備え、前記管理手段（４０）はパスワードの送信によって前記外部端末（Ｃ１．．．Ｃｎ）からの問い合わせが可能であり、前記送信されたパスワードが前記データベースの前記パスワード一覧に記載されているか確認するよう適応され、前記確認動作が肯定的である場合、前記問い合わせを行っている外部端末の電話番号を保存し、且つ、前記建物（Ａ１．．．Ａｎ）に位置する前記ユニット（Ｂ１．．．Ｂｎ）にデータを送信するよう適応されており、前記データは、前記問い合わせを行っている外部端末の電話番号および前記ドアまたはゲートの開扉サービス有効期間を含むことを特徴とする、請求項１に記載の装置。
【請求項５】
前記管理手段（４０）は、データを処理するためのデータ処理手段と、前記処理手段を管理するアプリケーションソフトウェアとを備え、前記アプリケーションソフトウェアは、前記受信したパスワードが前記データベース（２０）に記憶されている前記パスワードの一覧に記載されていることを確認することにより前記リクエストを認証し、前記送信されたパスワードを対応する前記ユニット（Ｂ１．．．Ｂｎ）と対応付け、且つ、前記問い合わせを行っている外部端末の電話番号を記憶し、前記問い合わせを行っている外部端末（Ｃ１．．．Ｃｎ）の電話番号と前記サービスの持続期間を含むメッセージを、前記指定されたユニット（Ｂ１．．．Ｂｎ）に送信する、各機能を備えることを特徴とする、請求項４に記載の装置。
【請求項６】
前記中央ユニット（１）は、前記建物内に位置する前記指定されたユニットにテキストメッセージによって情報を送信するよう適応されていることを特徴とする、請求項４に記載の装置。
【請求項７】
前記中央ユニット（１）は、前記建物内に位置する前記指定されたユニットにＧＰＲＳ通信によって情報を送信するよう適応されていることを特徴とする、請求項４に記載の装置。
【発明の詳細な説明】
【技術分野】
【０００１】
本発明は、建物のドア又はゲートの遠隔開扉装置に関する。
【背景技術】
【０００２】
現在、コンドミニアムのようなドアやゲートを備える建物には鍵式又は電子式によるロックが備え付けられており、これらのロックは、建物、特に車庫や倉庫設備などの建物の一区画へのアクセスのためにドアやゲートを開錠して開扉する遠隔制御装置によって遠隔的に制御されている。
【０００３】
また、建物のドア又はゲート用の遠隔制御装置により遠隔制御される電気機械装置を建物に設置する場合もある。
【発明の概要】
【発明が解決しようとする課題】
【０００４】
本発明の目的は、既知の装置とは異なる、建物のドア又はゲートの遠隔開扉装置を提供することにある。
【課題を解決するための手段】
【０００５】
本発明によると、上記目的は以下に示す少なくとも１つの建物のドア又はゲートの遠隔開扉装置によって達成される。
【０００６】
このドア又はゲートの遠隔開扉装置は、少なくとも１つの建物（Ａ、Ａ１．．．Ａｎ）のドア又はゲートの遠隔開扉装置であって、前記建物（Ａ、Ａ１、．．．Ａｎ）内に位置し、ＧＳＭモジュールを備える複数の外部端末（Ｃ１．．．Ｃｎ）からアクセス可能なユニット（Ｂ、Ｂ１．．．Ｂｎ）を備え、前記ユニット（Ｂ、Ｂ１．．．Ｂｎ）は、前記ドア又はゲートの開扉に好適な電気機械的手段（５０）に接続され、前記ユニット（Ｂ、Ｂ１．．．Ｂｎ）は、前記複数の外部端末（Ｃ１．．．Ｃｎ）の電話番号一覧が記憶されたデータベース（２）と、前記外部端末（Ｃ１．．．Ｃｎ）に接続するためのＧＳＭインタフェース（３）と、前記ＧＳＭインタフェース（３）及び前記データベース（２）を管理するための管理手段（４）とを備え、前記管理手段（４）は、前記外部端末（Ｃ１．．．Ｃｎ）からの問い合わせが可能であり、前記問い合わせを行っている外部端末の電話番号が前記データベース（２）の外部端末（Ｃ１．．．Ｃｎ）の電話番号一覧に存在する場合には、ゲート又はドアを開くように前記電気機械的手段（５０）に命じることを特徴とするものである。
【発明の効果】
【０００７】
本発明の建物のドア又はゲートの遠隔開扉装置によれば、上記のように構成したので、既知の装置とは異なる、建物のドア又はゲートの遠隔開扉装置を提供することができる。
【図面の簡単な説明】
【０００８】
【図１】本発明の実施形態からなる建物のドア又はゲートの遠隔開扉装置の構成図である。
【図２】本発明の実施形態の変形例からなる遠隔開扉装置の構成図である。
【発明を実施するための形態】
【０００９】
本発明は、添付の図面に示す非限定的な例によって表される以下の実施形態の説明により、更に明確になる。
【００１０】
図１は、本発明に係る建物のドア又はゲートの遠隔開扉装置（以下、単に「装置」という。）の構成図を示す。
【００１１】
この装置は、少なくとも１つのユニットＢを備え、ユニットＢは、建物Ａに配置され、ドア又はゲートを開錠して開けるための電気機械的手段５０に接続されている。
【００１２】
本装置は、ＧＳＭ（Global System for Mobile Communication Module）モジュールを備える複数の外部端末Ｃ１．．．Ｃｎを備えている。ユニットＢは、それら複数の外部端末Ｃ１．．．Ｃｎの電話番号一覧が記憶されたデータベース２を有するメモリと、外部端末Ｃ１．．．Ｃｎに接続するためのＧＳＭインタフェース３と、それらインタフェース３及びデータベース２を管理するための管理手段４とを備えている。管理手段４は、外部端末Ｃ１．．．Ｃｎからの問い合わせが可能であり、データベースの外部端末Ｃ１．．．Ｃｎの電話番号一覧に、問い合わせを行っている外部端末の電話番号が存在する場合には、ゲート又はドアを開くように電気機械的手段に命じるようになっている。
【００１３】
管理手段４は、データ処理システムと、アプリケーションソフトウェアがインストールされ、かつそのソフトウェアを実行するメモリとを備えている。このアプリケーションソフトウェアは、電話呼び出しに応答することなく、インタフェース３によって、呼び出しを行っている外部端末Ｃ１．．．Ｃｎの電話番号を受信し、呼び出しを行っている外部端末の電話番号がデータベース２に記録されている電話番号一覧に存在するかを確認した後に、この確認動作から肯定的な結果が得られた場合には、電気機械的手段５０にゲート又はドアの開扉命令を送信することができる。
【００１４】
なお、外部端末Ｃ１．．．Ｃｎは、携帯電話端末から構成されることが望ましい。
【００１５】
図２に示す本発明の上記実施形態の変形例では、本装置は、中央ユニット１を備え、中央ユニット１は、データ処理システムと、アプリケーションソフトウェアがインストールされ、かつそのソフトウェアを実行するメモリとを備えている。
【００１６】
本装置は、複数の建物Ａ１．．．Ａｎに位置する複数のユニットＢ１．．．Ｂｎを備えることが望ましい。
【００１７】
中央ユニット１のメモリは、周辺ユニットＢ１．．．Ｂｎの一覧、及び建物Ａ１．．．Ａｎに位置するユニットＢ１．．．Ｂｎに対応づけられると共に、これらのユニットを起動するのに適した起動パスワード又はコードの一覧が記憶されたデータベース２０を備えている。
【００１８】
また、中央ユニット１は、外部端末Ｃ１．．．Ｃｎに遠隔接続するためのＧＳＭインタフェース３０を備えている。中央ユニット１は、建物Ａ１．．．Ａｎに位置するユニットＢ１．．．Ｂｎへの遠隔接続のためのインタフェース３１と、インタフェース３０、３１及びデータベース２０を管理するための管理手段４０とを備えている。
【００１９】
管理手段４０は、データ処理システムと、アプリケーションソフトウェアがインストールされ、かつそのソフトウェアを実行するメモリとを備えており、パスワードの送信によって外部端末Ｃ１．．．Ｃｎからの問い合わせが可能であって、送信されたパスワードがデータベースのパスワード一覧に存在するかを確認するようになっている。確認動作が肯定的である場合には、問い合わせを行っている外部端末の電話番号を保存し、かつそのパスワードが対応している建物Ａ１．．．Ａｎに位置するユニットＢ１．．．Ｂｎにデータを送信するようになっている。このデータには、問い合わせを行っている外部端末の電話番号及びドア又はゲートの開扉サービスの有効期間（持続期間）が含まれている。
【００２０】
管理手段４０への問い合わせは、パスワードを含む文書によるテキストメッセージＳＭＳ（Short Message Service）によって行われ、中央ユニット１からユニットＢ１．．．Ｂｎに送信されるデータは、文書によるテキストメッセージＳＭＳによって送信される。
【００２１】
一般的には、外部遠隔端末Ｃ１．．．Ｃｎは、様々なユーザの携帯電話である。
【００２２】
インタフェース３０は、外部端末Ｃ１．．．Ｃｎからテキストメッセージを受信し、管理手段４０に当該テキストメッセージを送信することができる。
【００２３】
インタフェース３１は、管理手段４０から送信されるテキストメッセージを、パスワードによって指定されるユニットＢ１．．．Ｂｎに送信するようになっている。
【００２４】
中央ユニット１に関連するアプリケーションソフトウェアは、以下の機能が組み合わされた様々なモジュールを備えている。
【００２５】
・受信したパスワードが、データベース２０に記憶されているパスワードの一覧に存在す  ることを確認することにより、問い合わせを認証する。
・送信されたパスワードを、対応するユニットＢ１．．．Ｂｎと対応づけて、問い合わせ  を行っている外部端末の電話番号を記憶する。
・問い合わせを行っている外部端末の電話番号とサービスの持続期間とを含むメッセージ  を、指定されたユニットＢ１．．．Ｂｎに送信する。
【００２６】
本装置の動作を以下に説明する。
【００２７】
各外部端末Ｃ１．．．Ｃｎが、中央ユニット１に、パスワードを含むテキストメッセージを送信する。ユニット１のソフトウェアは、認証機能によって、当該パスワードがデータベースの一覧に含まれているパスワードのうちの１つかどうかを確認し、問い合わせを行っている外部端末の電話番号を記憶し、当該パスワードに対応するユニットＢ１．．．Ｂｎに対し、当該電話番号及び開扉サービスの持続期間を含むテキストメッセージＳＭＳの送信又はＧＰＲＳ（General Packet Radio Service）通信を行なう。このようにして、外部端末を所有しているユーザは、ユニットＢ１．．．Ｂｎが位置している建物のドア又はゲートを開けることができる。従って、ゲート又はドアを開けるためには、電話番号を入力するだけでよい。
【００２８】
通常は、指定されたユニットＢ１．．．Ｂｎにユニット１から送信されるテキストメッセージＳＭＳは、暗号化されたもの又は符号化されたものである。
【００２９】
中央ユニット１は、全てのユニットＢ１．．．Ｂｎと交信し、ユニットＢ１．．．Ｂｎのデータをアップデートできることが望ましい。また、ユニットＢ１．．．Ｂｎは、テキストメッセージ又はＧＰＲＳ通信によって中央ユニット１と交信し、ユニットＢ１．．．Ｂｎに接続されたドア又はゲートの開扉に関するデータを中央ユニット１に送信し、中央ユニット１は、当該データをメモリに記憶する。
【００３０】
ユニットＢ１．．．Ｂｎと中央ユニット１は、それぞれ電話番号を有しており、中央ユニット１は、１つ以上の電話番号を有することができる。
【符号の説明】
【００３１】
１  中央ユニット
２、２０  データベース
３、３０  ＧＳＭインターフェース
３１  インターフェース
４、４０  管理手段
５０  電気機械的手段
Ａ、Ａ１．．．Ａｎ  建物
Ｂ、Ｂ１．．．Ｂｎ  ユニット
Ｃ１．．．Ｃｎ  外部端末
【図１】
2011508114.tif 000003
【図２】
2011508114.tif 000004
【国際調査報告】
2011508114.tif 000005
2011508114.tif 000006